(57)【要約】【課題】従来技術におけるウィルスの感染を防止するにはワクチンの投与が行われている。しかしながら、新たなウィルスに対するワクチンの製造には長い期間を要し、重傷や死亡に至る患者も多いのが実情であり当該実情を打破する新たな治療法の創出を課題とする。【解決手段】本発明は、ＰＤ線やＰＤ光学シートの各種を応用したＰＤ治療法を手段とする。また、大小の各種静脈血管ならびにリンパ菅等の管中にＰＤ線を内蔵したガイド針を刺し入れ内蔵のＰＤ線より漏出する光線により管中のウィルスを殺菌ならびに除菌するＰＤ治療法の構造を手段とする。【選択図】図１
2020127889.tif 000002
【特許請求の範囲】
【請求項１】
大小の各種静脈血管ならびにリンパ菅等の管中にＰＤ線を内蔵したガイド針を刺し入れ内蔵のＰＤ線より外部に漏出する光線により管中のウィルスを殺菌ならびに除菌するＰＤ治療法の構造。
【請求項２】
ウィルス等を殺菌ならびに除菌するＰＤ線に入光させる光線は、各種の紫外線領域の光線である特徴を有する請求項１に記載のＰＤ治療法の構造。
【請求項３】
当該ＰＤ線に入光させる光線は、紫外線領域内の各種領域光線の単独領域光線を使用する特徴を有する請求項１ならび２のいずれかに記載のＰＤ治療法の構造。
【請求項４】
当該ＰＤ線に入光させる光線は、紫外線領域内の各種領域光線を複合して使用する特徴を有する請求項１ならび３のいずれかに記載のＰＤ治療法の構造。
【請求項５】
大掛かりな各種設備を持ち合わせない個人医院、あるいは、点滴や注射の施術出来る個人医院でも容易に治療出来る特徴を有する請求項１より４のいずれかに記載のＰＤ治療法の構造。
【発明の詳細な説明】
【技術分野】
【０００１】
本発明は、全ての特許文献１より２０に記載の文献に適用します。また、全ての特許文献記載内容を適用応用や引用を致します。また、先行技術文献１より２０に記載の各種ＰＤ線ならびにＰＤ光学シートやその他の記載事項を応用ならびに引用します。
【０００２】
特に、
特許文献９の特願２０１８−１２０３１０    ＰＤ８  ＰＤ治療を昨今のコロナウイルス対策への応用構想として説明したものです。医学的に証明されておりませんが、一人の機械屋としての技術的な応用提案です。  医学的な範疇は知識を持ち合わせておりませんが、各種の紫外線が治療に有効であると仮定した治療技術に関する。
【０００３】
光線発生装置および調光装置および伝送ファイバーおよびＰＤ治療装置を持ち歩ける小型の装置とできる、利点を利用して、伝染するウィルスに対して、アパートなどへの訪問診療や小さな医院でも、また、簡易滅菌空間を確保できる屋外でも、一つの命を救う治療の出来る治療法に関する。
【０００４】
大規模な設備のない個人医院でも施術出来て、総合病院以外でも治療可能なＰＤ治療法は、治療可能な病床数を大きく飛躍させ重傷者を除く発病者や軽傷者の治療範囲を向上させるＰＤ治療法に関する。
【０００５】
昨今のコロナウィルスや血液の病気などにも血液中の細菌や雑菌の殺菌除菌を容易に行えるＰＤ治療法に関する。
【０００６】
ワクチンが出来るまでの期間内において、症状が重症化する前に、感染したばかりや軽傷の内に体内のウィルスの殺菌および除菌により増殖を遅延させるＰＤ治療法に関する。
【０００７】
世界で何万人何十万人の死者が発生しないように、点滴注射の施術出来る医療関係者であれば設備の大小に関係なく何処でも点滴のように容易に治療あるいはウィルスの体内増殖を抑えて、重症化への時間を稼げるＰＤ治療法に関する。ワクチンの製造までの時間稼ぎを行えるＰＤ治療法に関する。
【背景技術】
【０００８】
従来技術におけるウィルスの感染を防止するにはワクチンの投与が行われている。
【０００９】
しかしながら、新たなウィルスに対するワクチンの製造には長い期間を要し、重傷や死亡に至る患者も多いのが実情であります。
【００１０】
また、重傷に至ると大規模な装置などの完備された総合病院などに依存せざるを得ず、病床数の確保も難しくなり重症化することが多くなる実情がある。小さな医院では設備が無く治療することが出来ない実情もある。
【先行技術文献】
【特許文献】
【００１１】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【特許文献１１】特願２０１８−１７３１４６  ＰＤ１１
【特許文献１２】特願２０１８−１９０５３０  ＰＤ１２
【特許文献１３】特願２０１８−２０２３８２  ＰＤ１３
【特許文献１４】特願２０１８−２０７８２４  ＰＤ１４
【特許文献１５】特願２０１８−２１９８３４  ＰＤ１５ＳＨ１
【特許文献１６】特願２０１９−０８７２１６  ＰＤ１６ＳＨ２
【特許文献１７】特願２０１９−１１５９４８  ＰＤ１７ＳＨ３
【特許文献１８】特願２０１９−１２２０９５  ＰＤ１８ＳＨ４ＫＡＩ
【特許文献１９】特願２０１９−１９６０２０    曲がり管Ｎの製造法
【特許文献２０】特開２０２０−０４８４１３    発電その１
【発明の概要】
【発明が解決しようとする課題】
【００１２】
背景技術を鑑みて、従来技術では、従来技術におけるウィルスの感染を防止するにはワクチンの投与が行われている。しかしながら、新たなウィルスに対するワクチンの製造には長い期間を要し、重傷や死亡に至る患者も多いのが実情であり当該実情を打破する新たな治療法の創出を課題とする。
【００１３】
また、重傷に至ると大規模な装置などの完備された総合病院などに依存せざるを得ず、病床数の確保も難しくなり重症化することが多くなる実情があり当該実情の解決を課題とする。
【００１４】
小さな医院では設備が無く治療することが出来ない実情もあり、何処でも治療施術の出来る治療法の創出を課題とする。
【００１５】
屋外の簡易滅菌室や自動車などの車両内の小さな空間でも治療施術の出来る治療法の創出を課題とする。
【００１６】
感染したウィルスの体内増殖を遅延させて、ワクチンの完成までの時間稼ぎを行える治療法の創出を課題とする。
【００１７】
一つの命でも救える治療法の創出を課題とする。
【課題を解決するための手段】
【００１８】
本発明では、特許文献の各種を応用したＰＤ治療法を課題解決の手段とする。
【００１９】
また、大小の各種静脈血管ならびにリンパ菅等の管中にＰＤ線を内蔵したガイド針を刺し入れ内蔵のＰＤ線より漏出する光線により管中のウィルスを殺菌ならびに除菌するＰＤ治療法の構造を手段とする。
【００２０】
また、ウィルス等を殺菌ならびに除菌するＰＤ線に入光させる光線は、各種の紫外線領域の光線である特徴を有するＰＤ治療法の構造を課題解決の手段とする。
【００２１】
ここで、当該ＰＤ線に入光させる光線は、紫外線領域内の各種領域光線の単独領域光線を使用する特徴を有するＰＤ治療法の構造を課題解決の手段とする。
【００２２】
さらに、当該ＰＤ線に入光させる光線は、紫外線領域内の各種領域光線を複合して使用する特徴を有するＰＤ治療法の構造を課題解決の手段とする。
【００２３】
また、大掛かりな各種設備を持ち合わせない個人医院、あるいは、点滴や注射の施術出来る個人医院でも容易に治療出来る特徴を有するＰＤ治療法の構造を課題解決の手段とする。
【発明の効果】
【００２４】
本発明では、従来技術にはないＰＤ線やＰＤ光学シートを手段としているので、持ち運び自由な小型治療装置の創出が出来たので、小さな空間の医院や屋外や車両等の空間にて治療施術が可能となる効果が現れた。
【００２５】
また、従来にはない技術の創出により、ウィルス治療以外にも血液の病気治療や血液の除菌殺菌も可能となり、色々な病気の治癒に寄与出来る効果を持ち合わせた治療法となった。
【図面の簡単な説明】
【００２６】
【図１】血液の殺菌ならびに除菌  (ＰＤ８の図５)
【図２】ＰＤ線治療（ＰＤ８の図２）
【図３】ＰＤ線治療  （ＰＤ８の図１２の（ニ））
【図４】ガイドとなる注射針の正面図、平面図、側面図  （ＰＤ８の図１３）
【発明を実施するための形態】
【００２７】
本発明のＰＤ治療法の構造は、大小の各種静脈血管ならびにリンパ菅等の管中にＰＤ線を内蔵したガイド針を刺し入れ内蔵のＰＤ線より外部に漏出する光線により管中のウィルスあるいは雑菌を殺菌ならびに除菌する形態を有している。
【００２８】
また、ウィルスや雑菌等を殺菌ならびに除菌するＰＤ線に入光させる光線は、各種の紫外線領域の光線である特徴を有する形態を有している。
【００２９】
ここで、当該ＰＤ線に入光させる光線は、紫外線領域内の各種領域光線の単独領域光線を使用する特徴を有する形態を有している。
【００３０】
さらに、当該ＰＤ線に入光させる光線は、紫外線領域内の各種領域光線を複合して使用する特徴を有する形態を有している。
【００３１】
また、大掛かりな各種設備を持ち合わせない個人医院、あるいは、点滴や注射の施術出来る個人医院でも容易に治療出来る特徴を有する形態を有している。
【００３２】
さらに、現役を引退した点滴や駐車の行える看護師の活躍の場を与えることも良い。その上、治療に当たる医療関係者の人数を増加させる事も容易で有ります。
【実施例】
【００３３】
本発明の実施例として、図１より図４に図示説明します。本図は特許文献９の特願２０１８−１２０３１０において既に記載説明した図を用いますので、詳細は当該特許文献を参照下さい。  
【００３４】
図１は、血液の殺菌ならびに除菌  (ＰＤ８の図５)の断面図表示したものです。ＰＤ線が血管を刺し抜いてＰＤ線の放散部が血管の中に挿入された状態です。このように血管内でＰＤ線の放散部ならびにＰＤ線に入光し光線の一部が先端部より漏出した光線（図２を参照）が血管内に放散されて、ウィルスや雑菌などを除菌殺菌する図です。実際には、ＰＤ線は細いので血管の管壁を突き破ることは難しいと思われます。この場合には、図４のような３０Ｇから３４Ｇの金属製のガイドを被せて使用します。
【００３５】
次に、図２は、ＰＤ線治療（ＰＤ８の図２）を図示しています。ＰＤ線７は、内部を伝搬してくる光線の一部が、外部に漏出させる手段を講じてるので外部に漏出する構造となっています。漏出させる手段は、先行文献に各種の手段が記載されています。
【００３６】
次に、図３は、ＰＤ線治療（ＰＤ８の図１２の（ニ））であり、先端部および放散部および伝送部ならびにＰＤ端子を備えた全体図を図示しています。
【００３７】
次に、図４は、ガイドとなる注射針の正面図、平面図、側面図（ＰＤ８の図１３）を図示しています。金属製の３０Ｇや３４Ｇの針を用いています。このガイド針にはＰＤ線の漏出した光線を通過させる針放散孔が配備されています。
【００３８】
各図面の詳細について、図１において、ＰＤ線７は当該線が直接あるいは１２０の３０Ｇから３４Ｇの材質が金属製のガイドを被せて使用します。このように、本発明のＰＤ治療法の構造は、１５０の大小の各種静脈血管ならびにリンパ菅等の管中にＰＤ線７を内蔵したガイド針１２０を刺し入れ内蔵のＰＤ線より漏出する光線が、１５１の血流およびリンパ液の流れの中で放散されて血液ならびにリンパ液中に放散されて、ウィルスおよび雑菌を殺菌あるいは除菌するＰＤ治療法の構造となっています。また、ＰＤ線７のみで管壁を貫通する場合には１２０のガイドは不要ですが、細いＰＤ線であり折れることを防止する為に１２０のガイドを使用しても当然よい。
【００３９】
また、図１より図４に図示するＰＤ線７に入光する光線は、ウィルスや雑菌等を殺菌ならびに除菌に有効な各種の紫外線領域の光線である特徴を有するＰＤ治療法の構造となっています。また、当該ＰＤ線に入光させる光線は、紫外線領域内の各種領域光線の単独領域光線を使用する特徴を有する構造となっています。
【００４０】
また、当該ＰＤ線に入光させる光線は、紫外線領域内の各種領域光線を複合して使用しても良い特徴を有するＰＤ治療法の構造となっています。
【００４１】
以上の構造であり、光線発生部ならびに調光装置自体も持ち歩ける小型であり、何処でも容易に持ち歩ける構造です。従って、大掛かりな各種設備を持ち合わせない個人医院、あるいは、点滴や注射の施術出来る個人医院でも容易に治療出来る特徴を有しています。
【００４２】
このことは、感染者を自宅に隔離して外部に通院する必要も無くしている。ので、新たな伝染の防止策となり、その上、重傷患者の病床確保に一役を担っています。
【００４３】
以上の様に、新たな伝染の発生も防止できて、余分な伝染も防止できて、病床の確保もできて、ワクチンの製造までの時間稼ぎが出来る。そのうえ、個人医院でも容易に治療や施術が可能なことは昨今のウィルス問題の一つの解決策あるいは補助策となる。また、装置が小型であるので世界中への輸送も多量に行える輸送に関しても最善の策となります。
【産業上の利用可能性】
【００４４】
以上に記述した内容により産業上の利用可能性を推察すると、本発明のＰＤ治療法の構造は、当該特徴を活用して、病院の病床以外に、感染したばかりの軽傷の患者では、自宅にて療養ならびに施術あるいは治療を受けることも可能となり、重傷者を受け入れる大病院の病床の確保に貢献する事が出来る。
【００４５】
さらに、感染した患者が外出することも控えることも可能となり、伝染を食い止める一役となり得る。
【符号の説明】
【００４６】
７      ＰＤ線(治療)
１２０  ３０Ｇ（から３４Ｇ）  （材質が金属製のみ）
１２５  針放散孔
１２７  針尖状先端
１５０  血管およびリンパ菅
１５１  血流およびリンパ液の流れ
２１０   開放端先端
２３０   ＰＤ放散部
３４０  ＰＤ端子
３６０  凹みあるいは目荒し
５００  漏出した光線
【図１】
2020127889.tif 000003
【図２】
2020127889.tif 000004
【図３】
2020127889.tif 000005
【図４】
2020127889.tif 000006